(57)【特許請求の範囲】
【請求項１】
接続ケーブルを接続する外部接続端子部を保持するための可動支持部と、
電子機器本体の背面に設けられ、前記可動支持部を保持するためのベース部と、
前記ベース部に対して前記可動支持部を回転軸を支点として回転させるための回転機構と、
前記回転機構により前記可動支持部を前記回転軸を支点に回転させて前記外部接続端子部の接続ケーブル差し込み口の角度を、前記電子機器本体の設置角度に応じて調整する調整機構と、
を備えたことを特徴とする外部接続端子の角度調整構造。
【請求項２】
前記回転機構は、前記ベース部に所定間隔離して配置された一対の支持部が配置され、前記一対の支持部に各々設けられた回転軸穴に前記可動支持部に設けられた前記回転軸がはめ込まれていることを特徴とする請求項１に記載の外部接続端子の角度調整構造。
【請求項３】
前記調整機構は、前記ベース部に所定間隔離して配置された一対の支持部と、前記一対の支持部にそれぞれ列状に設けられた複数の角度調整用穴と、前記可動支持部に設けられた角度調整用の突起とを含み、前記角度調整用の突起が係合する前記角度調整用穴を切り替えて前記外部接続端子部の接続ケーブル差し込み口の角度が、前記電子機器本体の設置角度に応じて調整されることを特徴とする請求項１に記載の外部接続端子の角度調整構造。
【請求項４】
接続ケーブルを接続するための外部接続端子部を有する電子機器であって、
前記外部接続端子部を保持するための可動支持部と、
電子機器本体の背面に設けられ、前記可動支持部を保持するためのベース部と、
前記ベース部に対して前記可動支持部を回転軸を支点として回転させるための回転機構と、
前記回転機構により前記可動支持部を前記回転軸を支点に回転させて前記外部接続端子部の前記接続ケーブル差し込み口の角度を、前記電子機器本体の設置角度に応じて調整する調整機構と、
を備えたことを特徴とする電子機器。
【請求項５】
前記回転機構は、前記ベース部に所定間隔離して配置された一対の支持部を有し、前記一対の支持部に各々設けられた回転軸穴に、前記可動支持部に設けられた前記回転軸がはめ込まれていることを特徴とする請求項４に記載の電子機器。
【請求項６】
前記調整機構は、前記ベース部に所定間隔離して配置された一対の支持部と、前記一対の支持部にそれぞれ列状に設けられた複数の角度調整用穴と、前記可動支持部に設けられた角度調整用の突起とを含み、前記角度調整用の突起が係合する前記角度調整用穴を切り替えるて前記外部接続端子部の接続ケーブル差し込み口の角度が、前記電子機器本体の設置角度に応じて調整されることを特徴とする請求項４に記載の電子機器。
【発明の詳細な説明】
【技術分野】
【０００１】
本発明は、卓上電子機器等に配置される外部接続端子の角度調整構造及び電子機器に関するものである。
【背景技術】
【０００２】
近年の電子機器には、例えば、ＬＡＮ、ＰＣ、ＵＳＢ、電源等の外部接続端子を多く搭載した電子機器が増えてきており、これら電子機器にケーブルを接続する場合には、ケーブルのスペースを確保することが困難となったり、電子機器のデザインや設置形態にも影響することがある。
【０００３】
また、これら電子機器は卓上載置や壁掛け状態等で使用されることも多く、電子機器を設置する角度によってはケーブル配線が困難になることがある。更に、電子機器を壁掛けで使用する場合には、ケーブルの引き回しのスペースを確保できないことがあり、新たな部品を追加する必要があったり、ケーブル配線によって機器のデザインが損なわれてしまうことも多い。
【０００４】
一方、特許文献１には、ＬＣＤ表示装置１００の本体内から引出配線Ｃ１を集約して収納保持するユニットケース１１のＴ字形状の腕部１１ｃ、１１ｄを、ＬＣＤ表示装置１００の背面筐体１０１にねじ止めされた軸受部材１０２に回動可能に軸受けさせて、引出配線Ｃ２を接続するユニットケース１１の基部１１ｅを回動可能に支持する構造が開示されている（図４、図５等参照）。
【０００５】
また、特許文献２には、プリンタ装置本体４の下部背面に電源コード６を接続するインプレット７が設けられ、このインプレット７はプリンタ装置本体に対して回転可能に支持されたホルダ８に固定され、更にホルダ８の周面に凹部１２、１３を９０度の間隔で形成してこれら凹部にクリック１４が係合することでホルダ８の位置を固定する構造が開示されている（図３〜図６等参照）。
【先行技術文献】
【特許文献】
【０００６】
【特許文献１】特開２００３−０４５５９６号公報
【特許文献２】特開平０８−０９５３２８号公報
【発明の概要】
【発明が解決しようとする課題】
【０００７】
特許文献１の構造では、例えば、装置本体に対してケーブルを垂直方向に配線する場合には、接続ユニット部が装置本体の背面側に飛び出し、外観デザインに影響してしまう。また、その分、接続ユニット部の設置面積も大きくなるため、設置場所にデットスペースが発生したり、或いは装置本体と接続ユニット部を結合するには軸受部品やねじ等が使用され、構造が複雑化してしまうほか、可動部が任意の位置に固定されない等の課題がある。
【０００８】
特許文献２の構造では、装置本体にケーブルが可動する範囲に穴が開けられているため（図３参照）、外観に大きく影響するばかりでなく、品質的にも粉塵や虫が混入（特に静電気の影響）することがある。また、回転するホルダ部が固定されておらず、ケーブルを外した場合にホルダ部が回ってしまい、更に、接続部が奥まっているため接続作業が難しい等の課題がある。
【０００９】
本発明の目的は、接続ケーブルの配線がスムーズで外観を損なうことがなく、しかも、簡単な構造で接続作業も容易な外部接続端子の角度調整構造及び電子機器を提供することにある。
【課題を解決するための手段】
【００１０】
本発明に係る外部接続端子の角度調整構造は、接続ケーブルを接続する外部接続端子部を保持するための可動支持部と、電子機器本体の背面に設けられ、前記可動支持部を保持するためのベース部と、前記ベース部に対して前記可動支持部を回転軸を支点として回転させるための回転機構と、前記回転機構により前記可動支持部を前記回転軸を支点に回転させて前記外部接続端子部の接続ケーブル差し込み口の角度を、前記電子機器本体の設置角度に応じて調整する調整機構と、を備えたことを特徴とする。
【００１１】
また、本発明に係る電子機器は、接続ケーブルを接続するための外部接続端子部を有する電子機器であって、前記外部接続端子部を保持するための可動支持部と、電子機器本体の背面に設けられ、前記可動支持部を保持するためのベース部と、前記ベース部に対して前記可動支持部を回転軸を支点として回転させるための回転機構と、前記回転機構により前記可動支持部を前記回転軸を支点に回転させて前記外部接続端子部の前記接続ケーブル差し込み口の角度を、前記電子機器本体の設置角度に応じて調整する調整機構と、を備えたことを特徴とする。
【発明の効果】
【００１２】
本発明によれば、接続ケーブルの配線がスムーズで外観を損なうことがなく、しかも、簡単な構造で接続作業も容易に行うことが可能となる。
【図面の簡単な説明】
【００１３】
【図１】本発明に係る電子機器の一実施形態を示す斜視図である。
【図２】本発明に係る外部接続端子の構造の一実施形態を示す斜視図である。
【図３】本発明に係る電子機器の設置角度を変えて設置した場合の設置状態を示す斜視図である。
【図４】本発明に係る電子機器を壁掛け状態で設置した場合の斜視図である。
【発明を実施するための形態】
【００１４】
次に、発明を実施するための形態について図面を参照して詳細に説明する。図１は本発明に係る電子機器の一実施形態を示す斜視図である。本発明は、電子機器の背面に設けられたベース部（ＢＡＳＥ部品）に外部接続端子部を搭載した可動支持部品を組み込み、可動支持部品に設けられた回転軸を電子機器背面のベース部の回転軸穴に嵌合させることで、可動支持部品をベース部に対して回転軸を中心に回転可能に保持する。外部接続端子部は、接続ケーブルを接続して電子機器内部のユニットと接続するものである。
【００１５】
一方、ベース部には、複数の角度調整穴が列状に形成され、可動支持部にはベース部の角度調整穴に係合する角度調整用の突起が形成され、可動支持部をベース部に対して回転軸を支点として回転させて可動支持部の角度調整用の突起が係合する角度調整用穴を切り替えることで外部接続端子部の接続ケーブル差し込み口の角度を、電子機器本体の設置角度に合わせて調整する。
【００１６】
図１（Ａ）は本発明に係る電子機器の表面側の外観を示す斜視図、図１（Ｂ）は電子機器の底面側（背面側）の外観を示す斜視図である。図１（Ｂ）では本発明に係る外部接続端子部に接続ケーブルが接続された状態を示す。
【００１７】
図中１０１は電子機器、１０２は電子機器１０１の底面側に設けられた脚部である。図１では、電子機器１０１として電話機等の卓上電子機器の例を示す。脚部１０２は電子機器１０１を支持するものであり、ユーザが所望の角度に調整した位置で安定する。このように脚部１０２の角度を任意の角度に調整することで電子機器１０１を所望の角度に設置することが可能である。
【００１８】
１０３は外部機器（図示せず）と接続するための接続ケーブル、１０４は外部接続端子部である。接続ケーブル１０３は外部接続端子部１０４に接続される。外部接続端子部１０４は後述するように可動支持部品Ｂに保持され、可動支持部品Ｂは電子機器１０１の底面側に設けられたＢＡＳＥ部品Ａに組み込まれる。
【００１９】
図２は本発明に係る外部接続端子部の構造を示す斜視図である。図２（Ａ）は本発明に係るＢＡＳＥ部品Ａを示す斜視図、図２（Ｂ）は本発明に係る可動支持部Ｂを分解して示す斜視図である。図２（Ａ）に示すように電子機器１０１の底面側にＢＡＳＥ部品Ａが設けられている。
【００２０】
ＢＡＳＥ部品Ａには、左右一対の支持部１０５が一定間隔をおいて配置され、この左右一対の支持部１０５にそれぞれ回転軸穴１０６が開けられている。また、一対の支持部１０５には、それぞれ複数の角度調整穴１０８が列状に開けられている。回転軸穴１０６は左右で同じ位置に開けられ、複数の角度調整穴１０８もそれぞれ左右で同じ位置に開けられている。
【００２１】
また、可動支持部品Ｂの両側には、それぞれ回転軸１０７と角度調整用の突起１０９が設けられている。回転軸１０７は一対の支持部１０５の回転軸穴１０６にはめ込まれ、角度調整用の突起１０９は支持部１０５に列状に開けられた角度調整穴１０８に係合する構成である。
【００２２】
一対の支持部１０５の間には、図２（Ｂ）に示す可動支持部品Ｂが組み込まれるが、可動支持部品Ｂの内部には、接続ケーブル１０３を接続するためのコネクタ１１０が設けられている。また、このコネクタ１１０の各端子と接続されるフラットケーブル等の接続部材１１２が配置されている（図２（Ｂ）では機器本体のユニットへ接続１１２と表記しているが、１１２はフラットケーブル等の接続部材である）。
【００２３】
可動支持部品Ｂ内には図２（Ｂ）に示すように外部接続端子部１０４が組み込まれ、図１に示すように外部接続端子部１０４のコネクタ１１０に接続ケーブル１０３が接続される。接続ケーブル１０３は図２（Ａ）の裏面側から挿入され、外部接続端子部１０４のコネクタ１１０からフラットケーブル等の接続部材１１２を介して電子機器内部のユニット（不図示）に接続される。
【００２４】
可動支持部品Ｂを支持部１０５間に組み込む場合には、一対の支持部１０５に開けられた回転軸穴１０６に可動支持部品Ｂの両側に設けられた回転軸１０７がはめ込まれ、可動支持部品ＢはＢＡＳＥ部品Ａに対して回転軸１０７を支点に回転可能に保持される。一方、可動支持部品Ｂの両側には、角度調整用の突起１０９が設けられ、この角度調整用の突起１０９が一対の支持部１０５にそれぞれ列状に配置された、いずれかの角度調整穴１０８に内側から係合する。
【００２５】
つまり、可動支持部品Ｂが回転軸１０７を支点に回転すると、可動支持部品Ｂに設けられた左右の角度調整用の突起１０９が、一対の支持部１０５にそれぞれ列状に開けられた角度調整用穴１０８に順次係合していく。その際、角度調整用の突起１０９が係合する角度調整用穴１０８を切り替えることで、外部接続端子部１０４の接続ケーブル差し込み口の角度を、電子機器１０１の設置角度に合わせて調整することが可能となる。
【００２６】
図３は所定の角度毎に電子機器１０１を設置した状態を示す。図３（Ａ）、図３（Ｂ）、図３（Ｃ）の順に机等の設置面に対する電子機器１０１の設置角度が大きくなっている。電子機器１０１の設置角度を変える場合には、ユーザが電子機器１０１の底面側に配置された脚部１０２の角度を調整するが、それに応じてユーザは外部接続端子部１０４の角度を調整する。図３（Ａ）、図３（Ｂ）、図３（Ｃ）には可動支持部品Ｂの内部における可動支持部品Ｂの回転状態を一部切欠して示す。
【００２７】
図３（Ａ）に示す状態では、電子機器１０１の設置角度が小さく、それに応じて外部端子部１０４の接続ケーブル差し込み口の角度も小さく調整されている。外部端子部１０４の角度を調整する場合には、図３に示すアーム１１１を指で上方向に持ち上げるように押す、或いは下方向に押し下げるように押すことで外部接続端子部１０４の接続ケーブル差し込み口の角度を調整する。
【００２８】
例えば、図３（Ａ）に示す状態でユーザが指でアーム１１１を上方向に持ち上げるように押すと、可動支持部品Ｂが回転軸１０７を支点に時計回りに回転し、それに伴い角度調整用の突起１０９が現在係合している角度調整穴１０８から外れ、次の角度調整穴１０８と係合する。つまり、ユーザがアーム１１１を上方向に持ち上げるように押す動作に応じて角度調整用の突起１０９が係合する角度調整用穴１０８が順次切り替えられ、図３（Ｂ）に示すように外部接続端子部１０４の接続ケーブル差し込み口の角度を、電子機器１０１の設置角度に合わせて調整することが可能となる。
【００２９】
また、図３（Ｂ）に示す状態からユーザが更にアーム１１１を上方向に持ち上げるように押すと、図３（Ｃ）に示すように電子機器１０１の設置角度に合わせて外部接続端子部１０４の接続ケーブル差し込み口の角度を更に大きく調整することができる。なお、図３に示すアーム１１１は図２では見えないため図示していないが、図２（Ｂ）に示す可動支持部品Ｂの図面上右側裏面に配置されている。
【００３０】
反対に、ユーザが図３（Ｃ）に示す状態から指でアーム１１１を下方向に押し下げるように押すと、可動支持部品Ｂが回転軸１０７を支点に反時計回りに回転し、図３（Ｂ）に示すように電子機器１０１の設置角度に応じて外部接続端子部１０４の接続ケーブル差し込み口の角度を小さく調整することができる。更に、図３（Ｂ）に示す状態からユーザがアーム１１１を下方向に押し下げるように押すことによって、図３（Ａ）に示すように電子機器１０１の設置角度に応じて外部接続端子部１０４の接続ケーブル差し込み口の角度を更に小さく調整することができる。
【００３１】
図４は電子機器１０１の壁掛け時の設置状態を示す。壁掛け状態では電子機器１０１の設置角度は机等の設置面に対して垂直である。図３（Ｃ）に示す状態からユーザが更にアーム１１１を下方向に押動することによって、図４に示すように電子機器１０１の壁掛け状態に応じて外部接続端子部１０４の接続ケーブル差し込み口の角度を上向きに調整することができる。
【００３２】
本実施形態では、図３、図４から明らかなように電子機器１０１の設置角度に応じて外部接続端子部１０４の接続ケーブル差し込み口の角度を調整することにより、接続ケーブル１０３の配線がスムーズで外観を損なうことなく、ケーブル配線が可能となる。例えば、図３（Ａ）に示すように電子機器１０１を機器設置面に対して小さい角度に設置した場合でも、それに応じて外部接続端子部１０４の接続ケーブル差し込み口の角度を小さく調整することによって、外観を損なうことなく、接続ケーブル１０３をスムーズに配線することが可能となる。
【００３３】
また、図４に示すように電子機器１０１を壁掛け状態に設置してもそれに応じて外部接続端子部１０４の接続ケーブル差し込み口の角度をほぼ上向きに調整することにより、同様に外観を損なうことなく、接続ケーブル１０３をスムーズに配線することが可能となる。また、接続ケーブル１０３の接続方向が変化しても電子機器本体の外形寸法内で収まる位置に外部接続端子部１０４の回転軸１０７を設けているため、外観に影響せず、デットスペースも発生しない。
【００３４】
更に、外部接続端子部１０４が可動しても電子機器内部が見えない構造となっており、外観、粉塵や虫混入による品質の課題も解消することが可能となる。更に、ＢＡＳＥ部品Ａで可変保持形状を一体成形する構造であるため、構成部品が少なく、また、可動支持部品ＢをＢＡＳＥ部品Ａにはめ込むだけの単純な構造であるため、構成が簡単で低コストで済む。
【００３５】
また、可動支持部品Ｂを回転させて外部接続端子部１０４の接続ケーブル差し込み口の角度を調整する場合、可動支持部品Ｂの角度調整用の突起１０９が支持部１０５の角度調整用穴１０８に係止するため、可動支持部品ＢはＢＡＳＥ部品Ａに固定され、外部接続端子部１０４が回転する等の不具合は発生しない。また、図３に示すように電子機器１０１の底面側の表面近くに外部接続端子部１０４が配置されているため、接続ケーブル１０３の接続作業も容易となる。
【００３６】
なお、上記実施形態の一部又は全部は、以下の付記のようにも記載されうるが、以下には限らない。
【００３７】
（付記１）接続ケーブルを接続する外部接続端子部を保持するための可動支持部と、
電子機器本体の背面に設けられ、前記可動支持部を保持するためのベース部と、
前記ベース部に対して前記可動支持部を回転軸を支点として回転させるための回転機構と、
前記回転機構により前記可動支持部を前記回転軸を支点に回転させて前記外部接続端子部の接続ケーブル差し込み口の角度を、前記電子機器本体の設置角度に応じて調整する調整機構と、
を備えたことを特徴とする外部接続端子の角度調整構造。
【００３８】
（付記２）前記回転機構は、前記ベース部に所定間隔離して配置された一対の支持部が配置され、前記一対の支持部に各々設けられた回転軸穴に前記可動支持部に設けられた前記回転軸がはめ込まれていることを特徴とする付記１に記載の外部接続端子の角度調整構造。
【００３９】
（付記３）前記調整機構は、前記ベース部に所定間隔離して配置された一対の支持部と、前記一対の支持部にそれぞれ列状に設けられた複数の角度調整用穴と、前記可動支持部に設けられた角度調整用の突起とを含み、前記角度調整用の突起が係合する前記角度調整用穴を切り替えて前記外部接続端子部の接続ケーブル差し込み口の角度が、前記電子機器本体の設置角度に応じて調整されることを特徴とする付記１に記載の外部接続端子の角度調整構造。
【００４０】
（付記４）接続ケーブルを接続するための外部接続端子部を有する電子機器であって、
前記外部接続端子部を保持するための可動支持部と、
電子機器本体の背面に設けられ、前記可動支持部を保持するためのベース部と、
前記ベース部に対して前記可動支持部を回転軸を支点として回転させるための回転機構と、
前記回転機構により前記可動支持部を前記回転軸を支点に回転させて前記外部接続端子部の前記接続ケーブル差し込み口の角度を、前記電子機器本体の設置角度に応じて調整する調整機構と、
を備えたことを特徴とする電子機器。
【００４１】
（付記５）前記回転機構は、前記ベース部に所定間隔離して配置された一対の支持部を有し、前記一対の支持部に各々設けられた回転軸穴に、前記可動支持部に設けられた前記回転軸がはめ込まれていることを特徴とする付記４に記載の電子機器。
【００４２】
（付記６）前記調整機構は、前記ベース部に所定間隔離して配置された一対の支持部と、前記一対の支持部にそれぞれ列状に設けられた複数の角度調整用穴と、前記可動支持部に設けられた角度調整用の突起とを含み、前記角度調整用の突起が係合する前記角度調整用穴を切り替えるて前記外部接続端子部の接続ケーブル差し込み口の角度が、前記電子機器本体の設置角度に応じて調整されることを特徴とする付記４に記載の電子機器。
【産業上の利用可能性】
【００４３】
本発明は、特に、電話機、ＰＣ等、接続ケーブルを接続する卓上電子機器に好適に使用することができる。
【符号の説明】
【００４４】
１０１  電子機器
１０２  脚部
１０３  接続ケーブル
１０４  外部接続端子部
１０５  支持部
１０６  回転軸穴
１０７  回転軸
１０８  角度調整穴
１０９  角度調整用の突起
１１０  コネクタ
１１１  アーム
１１２  接続部材
Ａ  ＢＡＳＥ部品
Ｂ  可動支持部品
【図１】
0005187785.tif 000002
【図２】
0005187785.tif 000003
【図３】
0005187785.tif 000004
【図４】
0005187785.tif 000005